(57)【要約】【課題】血液のしみと口紅やファンデーション等の化粧料のしみについて、付着したその場や気付いた時点で、簡便に確実にしみ取り操作できるしみ取りセットを提供する。【解決手段】水中に界面活性剤及び焼成カルシウムが添加混合された血液用しみ取り液Ｓ１を収容する第一容器１と、水中に界面活性剤及び焼成カルシウムと対油脂溶剤が添加混合された化粧料用しみ取り液Ｓ２を収容した第二容器２と、水含量９９重量％以上で弱酸性のすすぎ液Ｓ３を収容する第三容器３とを具備してなる。【選択図】図１
2008196076.tif 000002
【特許請求の範囲】
【請求項１】
水中に界面活性剤及び焼成カルシウムが添加混合された血液用しみ取り液を収容する第一容器と、水中に界面活性剤及び焼成カルシウムと対油脂溶剤が添加混合された化粧料用しみ取り液を収容した第二容器と、水含量９９重量％以上で弱酸性のすすぎ液を収容する第三容器とを具備してなるしみ取りセット。
【請求項２】
前記第一及び第二容器のしみ取り液に水溶性ポリマーからなる増粘剤が含まれてなる請求項１記載のしみ取りセット。
【請求項３】
前記第三容器のすすぎ液にクエン酸が含まれてなる請求項１又は２に記載のしみ取りセット。
【請求項４】
前記第一〜第三容器は、一端側に注出口を有する可撓性プラスチックからなる容器本体と、その注出口を閉止するキャップとで構成されると共に、該容器本体の外形及び色合いの少なくとも一方が第一〜第三容器で互いに異なるように設定されてなる請求項１〜３の何れかに記載のしみ取りセット。
【発明の詳細な説明】
【技術分野】
【０００１】
本発明は、衣服等に付着したしみ、特に血液のしみと口紅やファンデーション等の化粧料のしみを簡便に除去するのに好適なしみ取りセットに関する。
【背景技術】
【０００２】
一般的に、衣類や寝具等の繊維材に付着した種々のしみは、付着後の時間が経過するほど繊維中に染みついて除去困難になるが、汚れが付着したその場では応急処置として水を含ませた布で拭うか水を着けて揉む程度であり、それによって汚れが薄まることはあっても除去できず、却ってしみつきの領域が拡がったり、水濡れが広範囲に及んで継続しての着用・使用が困難になることが多々ある。とりわけ女性の場合、不意な生理出血で衣類に血液がしみ付いたり、口紅やファンデーション等の化粧料が衣服に付着したりすることも往々にしてあるが、これら血液や化粧料のしみは概して飲食品等のしみに比べて落ちにくい上に目立つため、特に出先においては処置に困窮することになる。
【発明の開示】
【発明が解決しようとする課題】
【０００３】
本発明は、上述の情況に鑑み、特に血液のしみと口紅やファンデーション等の化粧料のしみについて、これらが付着したその場や気付いた時点で簡便に且つ確実にしみ取り操作できるしみ取りセットを提供することを目的としている。
【課題を解決するための手段】
【０００４】
上記目的を達成するために、本発明の請求項１に係るしみ取りセットは、図面の参照符号を付して示せば、水中に界面活性剤及び焼成カルシウムが添加混合された血液用しみ取り液Ｓ１を収容する第一容器１と、水中に界面活性剤及び焼成カルシウムと対油脂溶剤が添加混合された化粧料用しみ取り液Ｓ２を収容した第二容器２と、水含量９９重量％以上で弱酸性のすすぎ液Ｓ３を収容する第三容器３とを具備してなるものとしている。
【０００５】
また、請求項２の発明は、上記請求項１のしみ取りセットにおいて、第一及び第二容器１，２のしみ取り液Ｓ１，Ｓ２に水溶性ポリマーからなる増粘剤が含まれてなる構成としている。
【０００６】
請求項３の発明は、上記請求項１又は２のしみ取りセットにおいて、第三容器３のすすぎ液Ｓ３にクエン酸が含まれてなる構成としている。
【０００７】
請求項４の発明は、上記請求項１〜３の何れかのしみ取りセットにおいて、第一〜第三容器１〜３は、一端側に注出口１１、２１、３１を有する可撓性プラスチックからなる容器本体１０，２０，３０と、その注出口１１、２１、３１を閉止するキャップ１２，２２，３２とで構成されると共に、該容器本体１０，２０，３０の外形及び色合いの少なくとも一方が第一〜第三容器１〜３で互いに異なるように設定されてなるものとしている。
【発明の効果】
【０００８】
請求項１の発明に係るしみ取りセットでは、血液用しみ取り液が入った第一容器と、化粧料用しみ取り液が入った第二容器と、すすぎ液が入った第三容器とを有するから、生理出血等による血液のしみと、口紅やファンデーション等の付着による化粧料のしみとに対し、それぞれ専用のしみ取り液を使い分けて使用できる上、これらしみ取り液にて衣類等の繊維から遊離させた汚れ成分を第三容器のすすぎ液を用いて濯ぐことで簡単に除去できる。従って、外出する際にこのしみ取りセットを携行すれば、これら血液や化粧料のしみが衣類に付着したその場で、またしみ付きに気付いた時点で、周辺に利用できる水場等がない状況下でも支障なく、簡易に且つ迅速にしみ取り処置を行える。
【０００９】
しかして、このしみ取りセットの血液用しみ取り液は界面活性剤及び焼成カルシウムが添加混合されていることにより、また化粧料用しみ取り液は界面活性剤及び焼成カルシウムと対油脂溶剤が添加混合されていることにより、血液と化粧料の各々のしみに対する優れた除去効果を発揮できると共に、すすぎ液が弱酸性であるため、両しみ取り液がカルシウム分の水和でアルカリ化していても衣類に含浸後の濯ぎで中和され、もってアルカリによる衣類の傷みが回避され、またアルカリによる変色も戻るという効果が得られる。
【００１０】
請求項２の発明によれば、第一及び第二容器のしみ取り液に水溶性ポリマーからなる増粘剤が含まれているから、これらしみ取り液を衣類等のしみつき部分に含浸させた際に繊維材への浸透が抑えられ、しみつきの領域が拡がるのを防止できる上、含有する有効成分が逸散せずに効率よく作用し、それだけ汚れの遊離除去の効果が大きくなると共に、濯ぎを含めて水濡れ部分を少なくできるので衣類等の継続着用がし易くなる。
【００１１】
請求項３の発明によれば、第三容器のすすぎ液はクエン酸で弱酸性になるから、安全性が高く、生態系に悪影響を及ぼす懸念もない。
【００１２】
請求項４の発明によれば、第一〜第三容器は、容器本体が可撓性プラスチック製で一端に適度な口径の注出口を有するから、しみ取りに際し、キャップを外した容器本体をスポイドのように指で押さえて各々の収容液を注出でき、その押さえる力加減で注出度合と注出量を容易に自在に調整可能である上、容器本体の外形又は／及び色合いが異なることで第一〜第三容器の識別が容易であるから、血液用しみ取り液と化粧料用しみ取り液との取り違いや、これらしみ取り液とすすぎ液との誤用がされにくくなる。
【発明を実施するための最良の形態】
【００１３】
図面は、本発明に係るしみ取りセットの一実施形態を示す。このしみ取りセットは、血液用しみ取り液Ｓ１を収容した第一容器１と、化粧料用しみ取り液Ｓ２を収容した第二容器２と、すすぎ液Ｓ３を収容した第三容器３とで構成されており、これら第一〜第三容器１〜３をチャック４１付きポリ袋４内に使用説明書５と共に入れて携行するようになっている。
【００１４】
そして、第一〜第三容器１〜３は、いずれもポリエチレンの如き可撓性プラスチックからなる容量１０ｍｌの透明な容器本体１０，２０，３０と、ポリプロピレンの如き硬質プラスチック成形物からなる不透明なキャップ１２，２２，３２とで構成されるが、相互の識別を容易にするために、容器本体１０，２０，３０の形状及び色合いを異ならせている。すなわち、第一容器１の容器本体１０は、その一端側の注出口１１を上にして立てた状態で下部側が太い略円錐台状に形成され、血液用として淡いピンク色に着色されている。これに対し、化粧料用しみ取り液Ｓ２が入った第二容器２の容器本体２０は、細長い円筒形で無色透明に設定されている。一方、すすぎ液Ｓ３が入った第三容器３の容器本体３０は、太短い円筒形で青色に着色されている。
【００１５】
キャップ１２，２２，３２については、共用による付着液の混入を避けるため、それぞれ第一〜第三容器１〜３に専用になっている。すなわち、キャップ１２と２２では、容器本体１０，２０の雄ねじ部１０ａ，２０ａの径差に合わせ、互いの内径が異なるので共用できない。また、キャップ２２と３２では、容器本体２０，３０の雄ねじ部２０ａ，３０ａは同径でも、注出口２１，３１の突出長さの違いに対応し、形状自体が異なるのでに共用不能である。
【００１６】
第一容器１に収容される血液用しみ取り液Ｓ１は、水中に界面活性剤及び焼成カルシウムが添加混合されたものであり、衣類等の血液のしみが付着した部分に含浸させることにより、焼成カルシウムに由来するカルシウム成分のキレート（金属封鎖）作用でヘモグロビンの鉄分を捕獲し、界面活性剤との協動によって衣類等の繊維から効率よく遊離するから、しみの血液成分を液に溶け出させるように機能する。また、第二容器１に収容される化粧料用しみ取り液Ｓ２は、水中に界面活性剤及び焼成カルシウムと対油脂溶剤が添加混合されたものであり、衣類等の口紅やファンデーション等の化粧料のしみが付着した部分に含浸させることにより、対油脂溶剤が一般的に該化粧料のベースになっている油脂を溶解すると共に、焼成カルシウムに由来するカルシウム成分が界面活性剤の作用を著しく高めて衣類等の繊維から遊離させる。更に、第三容器３のすすぎ液Ｓ３は、水含量９９重量％以上で弱酸性を示すものである。
【００１７】
従って、外出する際に本発明のしみ取りセットを携行しておけば、血液や化粧料のしみが衣類に付着したその場で、またしみ付きに気付いた時点で、しみの種類に対応するしみ取り液Ｓ１又はＳ２をしみ付き部分に含浸させ、前記のように血液成分や化粧料成分を溶出させ、次いで第三容器３のすすぎ液Ｓ３を注出し、このすすぎ液Ｓ３で溶出液を洗い流すか、脱脂綿やテイッシュ等で液全体を吸い取ることにより、血液や化粧料のしみをきれいに消失させることができ、周辺に化粧室等の利用できる適当な水場等がない状況下でも全く支障なく、簡易に且つ迅速にしみ取り操作を行える。しかして、第三容器のすすぎ液Ｓ３は弱酸性であるから、第一容器１及び第二容器２の両しみ取り液Ｓ１、Ｓ２がカルシウム成分の水和によってアルカリ化していても、衣類に含浸後の該すすぎ液Ｓ３の付与で中和され、アルカリによる衣類の傷みは回避される。
【００１８】
ここで、両しみ取り液Ｓ１，Ｓ２に添加混合する焼成カルシウムは、その微粉末を水中に添加するが、化学品としての酸化カルシウム粉末つまり石灰石の熱分解で得られる所謂生石灰よりも、生体殻つまり貝類等の生体に付随する炭酸カルシウム系の殻を焼成した焼成カルシウムが好適である。この生体殻の焼成カルシウムは、生石灰とは性質が異なり、水と激しく反応して発熱するようなことがない。その理由については明確ではないが、例えば、ホタテ貝殻から得られる焼成カルシウムでは、水中に添加した際、生石灰の水和時に発生するような反応熱も観測されないため、急速な水酸化カルシウムの生成はなく、また液のｐＨの上昇も少ないことから、水中であまりイオン化せずにコロイド粒子として存在するものと推測される。
【００１９】
このような焼成カルシウム粉末の原料となる生体殻としては、例えばホタテ貝、牡蠣、サザエ、ホッキ貝、ハマグリ、アサリ、シジミ等の貝殻の他、ウニの殻、鶏卵の殻、珊瑚等も挙げられる。しかして、貝殻、とりわけ大量に食消費されるホタテ貝の殻は、安価に入手できると共に、廃物の有効利用として省資源及び環境保全にも貢献できる上、焼成・粉砕品が均質で性能的にも優れるから、特に好適なものとして推奨される。
【００２０】
上記貝殻の如き生体殻の焼成は、少量ではオートクレーブや電気炉等を用い、多量ではロータリーキルンや大型燃焼炉等を用いて行うが、好適には不活性ガス雰囲気として、温度７００〜１１００℃程度で数分〜数時間程度加熱すればよい。また、粉砕は焼成前後のいずれでもよいし、粗粉砕して焼成後に更に粉砕してもよい。焼成カルシウムの粒度しては、平均粒子径で２〜１００μｍ以下がよく、大き過ぎてはしみ取り液を含浸させた繊維材に付着残留してざらついたりする懸念がある。
【００２１】
焼成カルシウムの添加量は、血液用及び化粧料用しみ取り液Ｓ１，Ｓ２のいずれにおいても、しみ取り液全量中の０．０１〜０．５重量％程度を占める範囲が好適であり、少な過ぎては充分なしみ取り効果が得られず、逆に多過ぎては液中の不溶分による濁りを生じるという問題がある。
【００２２】
また、両しみ取り液Ｓ１，Ｓ２に添加混合する界面活性剤は、一般的な洗剤に配合されているものをいずれも使用できるが、洗浄力の点からノニオン系界面活性剤が好適であり、特にポリオキシエチレンラウリルエーテルやポリオキシエチレンポリオキシポリプロピレンラウリルエーテル等のポリオキシアルキレンアルキルエーテルが最適である。
【００２３】
界面活性剤の添加量については、血液用しみ取り液Ｓ１では全量中の０．１〜１重量％程度でよいが、化粧料用しみ取り液Ｓ２では特に全量中の５〜２０重量％程度と多くすることが推奨される。これは、血液のしみではカルシウム成分によるしみ取り効果が非常に大きいのに対し、化粧料のしみでは油脂分が多いこと等で落ちにくいことによる。
【００２４】
化粧料用しみ取り液Ｓ２に用いる対油脂溶剤としては、水溶性で油脂の溶解性がよいものであれば差し支えないが、とりわけセロソルブ（別称エチレングリコールモノエーテル）が口紅やファンデーション等の化粧料の油脂成分に対する溶解性に優れる点から推奨される。しかして、このようなセロソルブとしては、特に制約はないが、２−ｎ−ブトキシエタノール（別称エチレングリコールモノブチルエーテル＝ＥＧＭＢ）が繊維及び染色に対する高い安全性を有する点から推奨される。
【００２５】
化粧料用しみ取り液Ｓ２における対油脂溶剤の添加量は、界面活性剤と同様に、しみ取り液全量の０．１〜２０重量％程度となる範囲がよく、少な過ぎては充分なしみ取り効果が得られず、逆に多過ぎては染料抜けを生じる懸念がある。なお、この対油脂溶剤の最も好適な添加量は、しみ取り液全量の5〜２０重量％の範囲である。
【００２６】
すすぎ液Ｓ３を弱酸性にするための酸性化剤としては、特に制約はないが、安全性が高く、生態系に悪影響を及ぼす懸念がないものが望ましく、このような観点と入手コスト、更に臭気の点も合わせてクエン酸が最も好適である。しかして、すすぎ液Ｓ３のｐＨは５．５〜６．５程度の範囲にするのがよい。
【００２７】
なお、血液用及び化粧料用の両しみ取り液Ｓ１，Ｓ２については、既述の界面活性剤及と焼成カルシウム及び対油脂溶剤以外の成分として、水溶性ポリマーからなる増粘剤を添加することが推奨される。すなわち、この増粘剤を含むしみ取り液では、しみが付着した衣類等に含浸させた際、繊維材に対する液の浸透が抑えられるから、しみつきの領域が拡がるのを防止できると共に、有効成分のカルシウム成分と界面活性剤（しみ取り液Ｓ２では加えて対油脂溶剤）が逸散せずに効率よく作用し、それだけしみ成分の遊離効果が大きくなる。また、液濡れ領域が広がらない分、次のすすぎ液Ｓ３によるすすぎが簡単になる上、最終的な水濡れの範囲も少なくできるので、しみ取り後の衣類等を継続して着用するのに好都合である。
【００２８】
このような増粘剤の水溶性ポリマーとしては、特に制約されないが、皮膚を刺激したり繊維材の生地を傷めたりする懸念がない点から、キサンタンガム等の天然高分子多糖類が好適である。また、増粘剤の添加量は、両しみ取り液Ｓ１，Ｓ２共に、しみ取り液全量の０．０５〜１重量％とな程度がよく、少な過ぎては充分な増粘作用が得られず、逆に多過ぎてはしみ取り液が繊維へ浸透しにくくなってしみ取り効果が低下する。
【００２９】
前記実施形態のしみ取りセットでは、第一〜第三容器１〜３の識別のために容器本体１０，２０，３０の形状及び色合いが互いに異なり、且つキャップ１２、２２、３２をサイズ及び形態の違いで共用不能にしたものを例示したが、本発明においては上記の形状と色合いの一方のみが異なる構成としてもよく、またしみ取り液Ｓ１，Ｓ２及びすすぎ液Ｓ３は互いに反応し合うような組成ではなく、互いの液成分が僅かに混ざっても支障はないから、キャップを共用型にすることも可能である。しかして、第一〜第三容器１〜３の容器本体１０，２０，３０は、その形状及び容量を例示以外に種々設定可能であり、注出口１１、２１、３１の突出長さも種々設定できる。ただし、注出口１１，２１，３１については、容器本体１０，２０，３０の押圧操作で内容液を注出する際、注出状態を適度な範囲で容易に調整できるように、その口径を０．５〜３ｍｍの範囲に設定することが推奨される。
【図面の簡単な説明】
【００３０】
【図１】本発明の一実施形態に係るしみ取りセットの分解斜視図である。
【符号の説明】
【００３１】
１      第一容器
１０    容器本体
１１    注出口
１２    キャップ
２      第二容器
２０    容器本体
２１    注出口
２２    キャップ
３      第三容器
３０    容器本体
３１    注出口
３２    キャップ
Ｓ１    血液用しみ取り液
Ｓ２    化粧料用しみ取り液
Ｓ３    すすぎ液
【図１】
2008196076.tif 000003